(57)【要約】【課題】  ケーブルの接続を容易としながらも、防水性を確保することができる有線電子装置を提供する。【解決手段】  複数本の電線１１を有するケーブル１と、収納凹部３０及び収納凹部３０の内外に連通したケーブル挿通穴３１とを有するボディ３と、柔軟な材料からなりボディ３とケーブル１との間の隙間を閉塞するブッシュ７と、ボディ３に結合してボディ３との間にブッシュ７を挟む固定部材８とを備える。ケーブル１の接続に、ケーブル１の一端に接続されたプラグ６１と、収納凹部３０内に収納されるレセプタクル６２とからなるコネクタ６を用いた。コネクタ６を用いない場合に比べてケーブル１の接続が容易となる。また、ボディ３に設けられた筒凸部３２の内周面に弾接する鍔部７２を有するブッシュ７により、防水性を確保することができる。【選択図】図１
2013069715.tif 000002
【特許請求の範囲】
【請求項１】
複数本の電線を有するケーブルと、
前記ケーブルの一端に設けられて各前記電線に電気的に接続されたプラグと、
前記プラグとともにコネクタを構成するレセプタクルと、
前記レセプタクルが収納された収納凹部、及び、前記収納凹部の内外に連通して前記プラグを挿通可能な寸法形状であって前記ケーブルが挿通されるケーブル挿通穴を有するボディと、
前記ボディに結合して前記収納凹部を閉塞するカバーと、
柔軟な材料からなり、前記ボディと前記ケーブルとの間の隙間を閉塞するブッシュと、
前記ボディに結合して前記ボディとの間に前記ブッシュを挟む固定部材とを備え、
ボディには、前記収納凹部の外側において前記ブッシュを囲む筒形状の筒凸部が突設されていて、
前記ブッシュは、前記ケーブルの外周面に全周にわたって弾接する筒状部と、前記筒状部の外周面から外向きに突設されて前記筒凸部の内周面に弾接する鍔部とを有し、
前記固定部材は、前記鍔部において前記収納凹部の外側に向けられる面に当接する押さえ部を有することを特徴とする有線電子装置。
【請求項２】
前記ボディは、前記押さえ部との間に前記鍔部を挟む挟み部を有することを特徴とする請求項１記載の有線電子装置。
【請求項３】
前記筒状部は、前記鍔部よりも前記収納凹部から離れる方向に突出していて、
前記固定部材は、前記筒状部の外周面に当接する囲み部を有することを特徴とする請求項１記載の有線電子装置。
【請求項４】
前記筒状部は、前記鍔部よりも前記収納凹部から離れる方向に突出していて、
前記固定部材は、前記筒状部の先端面に対向する抜け止め部を有することを特徴とする請求項１記載の有線電子装置。
【発明の詳細な説明】
【技術分野】
【０００１】
本発明は、有線電子装置に関するものである。
【背景技術】
【０００２】
従来から、屋外や水場での使用を想定した防水構造を有する有線電子装置が提供されている（例えば、特許文献１参照）。
【０００３】
この種の有線電子装置は、図６に示すように、プリント配線板２が収納される収納凹部３０を有するボディ３と、収納凹部３０を閉塞するカバー４と、ボディ３に設けられたケーブル挿通穴３１を通じて収納凹部３０内に導入されるケーブル１とを備える。また、防水性を確保するため、ケーブル挿通穴３１の内周面とケーブル１の外周面との間の隙間は、柔軟な材料からなりケーブル１を囲む環形状のブッシュ７により閉塞される。ブッシュ７は、ボディ３との間にブッシュ７を挟む形でボディ３に結合する固定部材８により固定される。
【０００４】
従来は、ケーブル１が有する複数本の電線（図示せず）は、それぞれ半田付けやねじ端子等の手段を用いて収納凹部３０内のプリント配線板２に接続されていた。
【先行技術文献】
【特許文献】
【０００５】
【特許文献１】特開２００３−３２９３００号公報
【発明の概要】
【発明が解決しようとする課題】
【０００６】
しかしながら、上記の場合、ケーブル１を接続する際には、各電線の接続作業を収納凹部３０内で行う必要があり、作業が比較的に困難であった。また、電線を結束するシース（図示せず）が大きく除去されたケーブル１をケーブル挿通穴３１に挿通しようとした場合、複数本の電線が大きく広がることで、ケーブル挿通穴３１への挿通自体が困難となる場合もある。
【０００７】
ケーブル１の接続を容易とするには、コネクタを用いることが考えられる。コネクタは、収納凹部３０内に配置されるレセプタクルと、ケーブル１の一端に設けられてレセプタクルに着脱自在に結合するプラグとからなる。
【０００８】
一般に、プラグの断面形状はケーブル１の断面形状よりも大きくなるので、上記のようにコネクタを用いる場合には、プラグを挿通可能な程度にケーブル挿通穴３１を十分に大きくする必要がある。
【０００９】
しかしながら、ケーブル挿通穴３１を大きくすると、防水性の確保が困難となる。
【００１０】
本発明は、上記事由に鑑みて為されたものであり、その目的は、ケーブルの接続を容易としながらも、防水性を確保することができる有線電子装置を提供することにある。
【課題を解決するための手段】
【００１１】
本発明の有線電子装置は、複数本の電線を有するケーブルと、前記ケーブルの一端に設けられて各前記電線に電気的に接続されたプラグと、前記プラグとともにコネクタを構成するレセプタクルと、前記レセプタクルが収納された収納凹部、及び、前記収納凹部の内外に連通して前記プラグを挿通可能な寸法形状であって前記ケーブルが挿通されるケーブル挿通穴を有するボディと、前記ボディに結合して前記収納凹部を閉塞するカバーと、柔軟な材料からなり、前記ボディと前記ケーブルとの間の隙間を閉塞するブッシュと、前記ボディに結合して前記ボディとの間に前記ブッシュを挟む固定部材とを備え、ボディには、前記収納凹部の外側において前記ブッシュを囲む筒形状の筒凸部が突設されていて、前記ブッシュは、前記ケーブルの外周面に全周にわたって弾接する筒状部と、前記筒状部の外周面から外向きに突設されて前記筒凸部の内周面に弾接する鍔部とを有し、前記固定部材は、前記鍔部において前記収納凹部の外側に向けられる面に当接する押さえ部を有することを特徴とする。
【００１２】
上記の有線電子装置において、前記ボディは、前記押さえ部との間に前記鍔部を挟む挟み部を有することが望ましい。
【００１３】
また、上記の有線電子装置において、前記筒状部は、前記鍔部よりも前記収納凹部から離れる方向に突出していて、前記固定部材は、前記筒状部の外周面に当接する囲み部を有することが望ましい。
【００１４】
さらに、上記の有線電子装置において、前記筒状部は、前記鍔部よりも前記収納凹部から離れる方向に突出していて、前記固定部材は、前記筒状部の先端面に対向する抜け止め部を有することが望ましい。
【発明の効果】
【００１５】
本発明によれば、プラグへの電線の接続は収納凹部内への電線の接続よりも比較的に容易であり、且つ、プラグは複数本の電線よりもケーブル挿通穴への導入が容易であるので、コネクタが用いられない場合に比べてケーブルの接続が容易となる。また、ケーブルの外周面と筒凸部の内周面とに弾接するブッシュにより、防水性を確保することができる。
【図面の簡単な説明】
【００１６】
【図１】本発明の実施形態の要部を示すカバーを含まない分解斜視図である。
【図２】同上の要部を示す一部破断した斜視図である。
【図３】同上の要部を示すカバーを含まない斜視図である。
【図４】同上の要部を示す断面図である。
【図５】同上の固定部材を示す斜視図である。
【図６】従来例を示す断面図である。
【発明を実施するための形態】
【００１７】
以下、本発明を実施するための最良の形態について、図面を参照しながら説明する。
【００１８】
本実施形態は、図１〜図４に示すように、ケーブル１と、ケーブル１が電気的に接続されるプリント配線板２と、プリント配線板２を収納する収納凹部３０が設けられたボディ３と、収納凹部３０を閉塞するカバー４とを備える。ボディ３とカバー４とはそれぞれ例えば合成樹脂で形成することができる。また、ボディ３とカバー４とを互いに結合させる手段としては、例えばねじ止めを用いることができる。
【００１９】
以下、上下左右は図１を基準とし、ボディ３からケーブル１が引き出される方向（図１での左下方向）を前方と呼ぶ。つまり、収納凹部３０が開口した方向を上方と呼ぶ。なお、上記の方向はあくまで説明の便宜上定義するものであり、実際の使用状態での方向とは必ずしも一致しない。
【００２０】
ケーブル１は、いわゆるキャブタイヤコードであって、複数本（例えば１８本）の電線１１が、絶縁材料からなるシース１２によって結束されたものである。
【００２１】
プリント配線板２は、厚さ方向を上下方向に向け、例えばねじ止めにより収納凹部３０内に固定されている。プリント配線板２において、収納凹部３０の底面に向けられた下面には、操作入力を受け付けるための複数個のタクトスイッチ２１（図２参照）と、タクトスイッチ２１に受け付けられた操作入力に応じた電気信号を適宜の電線１１に出力する電子回路（図示せず）とが実装されている。
【００２２】
また、ボディ３において、タクトスイッチ２１の下側にはそれぞれ操作穴３５が設けられている。さらに、ボディ３とプリント配線板２との間には、合成ゴムからなるラバー部材５が配置されている。ラバー部材５はそれぞれ操作穴３５内に位置してタクトスイッチ２１に当接する伝達部５１を有する。また、ボディ３の下面は例えば合成樹脂からなる柔軟なシート９で覆われる。シート９は例えば接着によりボディ３に固着される。すなわち、ボディ３の下方からシート９を介してラバー部材５の伝達部５１に上向きの押力が加えられると、ラバー部材５が弾性変形して伝達部５１がボディ３に対して上方に変位することで、タクトスイッチ２１が押操作される。
【００２３】
また、本実施形態において、ケーブル１とプリント配線板２との電気的な接続はコネクタ６により達成される。コネクタ６は、ケーブル１の一端に設けられたプラグ６１と、プリント配線板２の上面に実装されてプラグ６１が例えば嵌合により着脱自在に結合するレセプタクル６２とを有する。プラグ６１とレセプタクル６２はそれぞれ電線１１に一対一に対応する導電部（図示せず）を有する。そして、プラグ６１とレセプタクル６２とが結合した状態では上記の導電部同士が互いに接触導通することで電気的な接続が達成される。上記のようなコネクタ６は周知技術で実現可能であるので、詳細な図示並びに説明は省略する。
【００２４】
また、ボディ３の前面には、収納凹部３０の内外に連通してケーブル１が挿通される貫通穴であるケーブル挿通穴３１が設けられている。ケーブル挿通穴３１は、図３に示すように、ケーブル１よりも左右の寸法が大きく、プラグ６１を挿通可能となっている。
【００２５】
さらに、ケーブル１とボディ３との間には、柔軟な材料からなるブッシュ７が介装される。また、本実施形態は、ボディ３との間にブッシュ７を挟む形でボディ３に結合することでボディ３からのブッシュ７の脱落を防ぐ固定部材８を備える。ブッシュ７の材料としては例えばエラストマを用いることができ、固定部材８の材料としては例えば合成樹脂を用いることができる。
【００２６】
また、ボディ３の前面には、ブッシュ７を囲む筒形状の筒凸部３２が突設されており、固定部材８は前方からの筒凸部３２へのねじ止めによりボディ３に固定されている。
【００２７】
ブッシュ７は、ケーブル１の外周面に全周にわたって弾接する円筒形状の筒状部７１と、筒状部７１の後端部の外周面から左右に突出して筒凸部３２の内周面に全周にわたって弾接する鍔部７２とを有する。つまり、筒状部７１は鍔部７２よりも収納凹部３０から離れる方向である前方に突出している。弾性変形していない状態での筒状部７１の内径はケーブル１の外径よりも僅かに小さくされており、筒状部７１は内径を大きくするように僅かに弾性変形することでケーブル１の外周面に全周にわたって弾接する。
【００２８】
また、前方から見て筒凸部３２の内形はケーブル挿通穴３１よりも大きくされており、鍔部７２の後面は筒凸部３２の内側においてボディ３の前面に当接する。つまり、ボディ３において前方から見て筒凸部３２の内側に突出した部位が挟み部３３となっている。本実施形態では前方から見て筒凸部３２や鍔部７２は長方形状であり、挟み部３３は筒凸部３２の４隅に設けられている。上記の挟み部３３により、収納凹部３０内へのブッシュ７の落ち込みが防止されている。
【００２９】
固定部材８は、厚さ方向を前後方向に向けた扁平な形状であって前方から見て筒凸部３２を覆う本体部８１を有する。本体部８１には、ケーブル１が挿通される挿通穴８０が設けられている。
【００３０】
さらに、固定部材８において、本体部８１の後面には、軸方向を前後方向に向けた円筒形状であってブッシュ７の筒状部７１を囲む囲み部８２が突設されている。囲み部８２の内径は、弾性変形していない状態での筒状部７１の外径と同程度とされており、囲み部８２は筒状部７１の外周面に全周にわたって弾接する。すなわち、ブッシュ７の筒状部７１は固定部材８の囲み部８２によってケーブル１の外周面に押し付けられる形となっている。これにより、囲み部８２が設けられない場合に比べ、ブッシュ７とケーブル１との間に隙間が発生しにくくなっている。
【００３１】
また、固定部材８において、囲み部８２の下面には、筒凸部３２の内面に開口した係合穴３４に係入する係合凸部８３が突設されている。本実施形態では、固定部材８は、操作力を受ける方向である下方から見てねじＳＣ１が目立ちにくいように本体部８１の上端部のみでボディ３にねじ止めされているが、下端部において係合凸部８３が係合穴３４に係入することでがたつきを抑えられている。
【００３２】
さらに、固定部材８において、挿通穴８０の内周面には、図４のようにブッシュ７の筒状部７１の前面（つまり先端面）に対向する環形状の抜け止め部８４が設けられている。すなわち、例えばケーブル１が外側（前側）へ引張られた場合であっても、ブッシュ７の筒状部７１の前方への変位は、固定部材８の抜け止め部８４によって抑えられる。
【００３３】
また、図５に示すように、固定部材８において、囲み部８２の左右両側には、それぞれ、ブッシュ７の鍔部７２の前面に当接する押さえ部８５が設けられている。これにより、ブッシュ７を筒凸部３２に挿入する際、ブッシュ７の鍔部７２と筒凸部３２の内周面との間の摩擦力によって鍔部７２が変形して筒凸部３２の内周面との間に隙間が発生し防水性を確保できなくなるという不具合が発生するのを防止することができる。
【００３４】
組立時には、まず、ボディ３にカバー４が装着されていない状態で、固定部材８とブッシュ７とにケーブル１を貫通させ、ケーブル１にプラグ６１を接続する。その後、プラグ６１をケーブル挿通穴３１に挿入してレセプタクル６２に接続し、固定部材８をボディ３に固定する。このとき、固定部材８の押さえ部８５によって前方から鍔部７２を押圧することで、ブッシュ７を筒凸部３２の奥（後方）へ押し込むことができる。また、ケーブル１の左右両側において、ケーブル１とケーブル挿通穴３１の内周面との間には比較的に大きな隙間が生じるので、カバー４の装着前には、収納凹部３０の内側から、上記の隙間を通じて、ブッシュ７が所定の位置まで挿入されているかを目視により確認することができる。
【００３５】
上記構成によれば、収納凹部３０外におけるプラグ６１への電線１１の接続はボディ３が邪魔にならないので収納凹部３０内への電線１１の接続よりも比較的に容易であり、且つ、プラグ６１は複数本の電線１１よりもケーブル挿通穴３１への導入が容易であるので、コネクタ６が用いられない場合に比べてケーブル１の接続が容易となる。また、ケーブル１を取り外す際にはプラグ６１とレセプタクル６２との結合を解除するだけでよく電線１１毎に接続を解除する必要が無いので、コネクタ６が用いられない場合に比べてケーブル１の交換が容易となる。さらに、ケーブル１の外周面と筒凸部３２の内周面とに弾接するブッシュ７により、防水性を確保することができる。
【符号の説明】
【００３６】
１  ケーブル
３  ボディ
４  カバー
６  コネクタ
７  ブッシュ
８  固定部材
１１  電線
３０  収納凹部
３１  ケーブル挿通穴
３２  筒凸部
３３  挟み部
６１  プラグ
６２  レセプタクル
７１  筒状部
７２  鍔部
８２  囲み部
８４  抜け止め部
８５  押さえ部
【図１】
2013069715.tif 000003
【図２】
2013069715.tif 000004
【図３】
2013069715.tif 000005
【図４】
2013069715.tif 000006
【図５】
2013069715.tif 000007
【図６】
2013069715.tif 000008